(57)【要約】【課題】分析中にディスクから試料が漏洩しても装置内での病原体の繁殖を防止し、作業者への感染を防ぐ液体試料分析装置を提供する。【解決手段】ディスク１を載値するためのトレー部材２０にディスク１を取り囲む壁部材２１を設け、該壁部材２１は回転中のディスク上面よりも高くなるように構成したことを特徴とし、回転中のディスク１から試料が漏洩しても前記壁部材２１が試料の飛散を防ぎ、トレー外に試料が放出することを防止する。【選択図】  図１
2004177319.tif 000002
【特許請求の範囲】
【請求項１】
回転するディスク内部に展開された液体試料、もしくは前記試料と反応した試薬に光ビームを照射し、その反射光もしくは透過光を検出することにより試料の分析を行うための液体試料分析装置であって、ディスクの装着、排出時にディスクを載置するためのトレー部材を備え、該トレー部材上には前記ディスクを取り囲む壁部材を有し、該壁部材は回転中のディスク上面よりも高くなるように構成したことを特徴とする液体試料分析装置。
【請求項２】
トレー部材に設けた壁部材をディスク上面の延長面で切断した断面の内径よりも、壁部材上端部の内径の方が小さいことを特徴とする請求項１に記載の液体試料分析装置。
【請求項３】
回転するディスク内部に展開された液体試料、もしくは前記試料と反応した試薬に光ビームを照射し、その反射光もしくは透過光を検出することにより試料の分析を行うための液体試料分析装置であって、ディスクの装着、排出時にディスクを載置するためのトレー部材と、前記ディスクに光ビームを照射するための光ピックアップを備え、前記ディスクと前記光ピックアップとの間には光ビームを透過する透明部材が配され、該透明部材は前記トレー部材と一体にて構成したことを特徴とする液体試料分析装置。
【請求項４】
光ピックアップの光源波長が略７８０［ｎｍ］であり、同波長におけるディスク基板及び透明部材の屈折率がともに略１．６であり、かつディスク基板の厚さと透明部材の厚さの合計が略１．２［ｎｍ］であることを特徴とする請求項３に記載の液体試料分析装置。
【請求項５】
光ピックアップの光源波長が略７８０［ｎｍ］であり、同波長におけるディスク基板及び透明部材の屈折率がともに略１．６であり、かつディスク基板及び透明部材の厚さがともに略０．６［ｎｍ］であることを特徴とする請求項４に記載の液体試料分析装置。
【請求項６】
ディスク基板及び透明部材の材料がともにポリカーボネート樹脂からなることを特徴とする請求項４または請求項５に記載の液体試料分析装置。
【発明の詳細な説明】
【０００１】
【発明の属する技術分野】
本発明は、回転するディスク内部に展開された液体試料、もしくは前記試料と反応した試薬に光ビームを照射し、その反射光もしくは透過光を検出することにより試料の分析を行うための分析装置に関し、特に装置内での試料漏洩時の安全性確保に関するものである。
【０００２】
【従来の技術】
従来、液体試料の定性・定量分析を行うための装置として、ディスク内部に展開した試料に光ビームを照射し、その透過光もしくは反射光を検出して分析を行う分析装置が提案されている（例えば特許文献１参照。）。
【０００３】
この分析装置の構成は例えば図４に示すようなものであり、ＣＤ（Ｃｏｍｐａｃｔ  Ｄｉｓｃ）・ＤＶＤ（Ｄｉｇｉｔａｌ  Ｖｅｒｓａｔｉｌｅ  Ｄｉｓｃ）などのいわゆる光ディスク装置に類似した構造を取っているが、分析に用いるディスクの構造が異なる。ディスク１内部には試料展開用の流路１０５を有し、ディスク上面には試料注入孔１０４が設けられている。分析は、試料（図示せず）をディスク１の試料注入孔１０４から注入して分析装置に装着し、ディスク１を回転させながら光ピックアップ１２を用いてディスク１内部の流路１０５に展開された試料もしくは試料と反応した試薬１０３に光ビーム１３を照射し、その透過光もしくは反射光を光検出器１５で検出することで分析を行う。装置へのディスク１の着脱は、これも光ディスク装置と同様にトレー部材２０にディスク１を載置して装着、排出を行うことができる。分析対象となる試料が、感染性の病原体（細菌・ウィルスなど）を含んだ血液等の場合、分析中にディスク１から試料が漏洩すると、作業者が病原体に感染する恐れがあるため、通常はディスク１の試料注入孔１０４を試料注入後にシール部材１０６で塞ぐ等の対策が行われている。また、分析装置側でもディスク１のシールが不完全であったり、試料注入時に試料がディスク１上に付着していた場合、更に、分析中にディスク１が破損した場合などに備えて、万一ディスク１内の試料が装置内部に漏洩しても、漏洩した試料が装置外部に飛散することを防ぐために分析中は装置のケース４０が密閉状態となるような構造を取っている。
【０００４】
【特許文献１】ＷＯ００２６６７７号公報
【０００５】
【発明が解決しようとする課題】
このように、従来の分析装置では、感染性の病原体を含んだ試料が万一ディスクから漏洩してもそれを装置外部に飛散させないための考慮がされているが、装置が密閉構造となっているため、ディスクから試料が漏洩して装置内部の部品等に付着した状態で長時間放置されると、装置内部で病原体が増殖し、ディスクの着脱時など、装置が開放状態となったときに病原体が装置外部に漏洩して作業者に感染する恐れがあった。
【０００６】
本発明は、上記従来の問題点を解決し、装置内部に試料の漏洩があった場合でも、装置内部での病原体の繁殖を抑え、作業者への感染を防止することが可能な分析装置を提供するものである。
【０００７】
【課題を解決するための手段】
本発明の請求項１に記載の発明は、回転するディスク内部に展開された液体試料、もしくは前記試料と反応した試薬に光ビームを照射し、その反射光もしくは透過光を検出することにより試料の分析を行うための液体試料分析装置であって、ディスクの装着、排出時にディスクを載置するためのトレー部材を備え、該トレー部材上には前記ディスクを取り囲む壁部材を有し、該壁部材は回転中のディスク上面よりも高くなるように構成したことを特徴とし、回転中のディスクから試料が漏洩しても前記壁部材が試料の飛散を防止するものである。
【０００８】
本発明の請求項２に記載の発明は、請求項１に記載の液体試料分析装置において、トレー部材に設けた壁部材をディスク上面の延長面で切断した断面の内径よりも、壁部材上端部の内径の方が小さいことを特徴とし、回転中のディスクから試料が漏洩しても前記壁部材が試料の飛散を防止するものである。
【０００９】
本発明の請求項３に記載の発明は、回転するディスク内部に展開された液体試料、もしくは前記試料と反応した試薬に光ビームを照射し、その反射光もしくは透過光を検出することにより試料の分析を行うための液体試料分析装置であって、ディスクの装着、排出時にディスクを載置するためのトレー部材と、前記ディスクに光ビームを照射するための光ピックアップを備え、前記ディスクと前記光ピックアップとの間には光ビームを透過する透明部材を有し、該透明部材は前記トレー部材と一体にて構成したことを特徴とし、ディスクから試料が漏洩しても試料がトレー外の部品に付着することを防止するものである。
【００１０】
本発明の請求項４に記載の発明は、請求項３に記載の液体試料分析装置において、光ピックアップの光源波長が略７８０［ｎｍ］であり、同波長におけるディスク基板及び透明部材の屈折率がともに略１．６であり、かつディスク基板の厚さと透明部材の厚さの合計が略１．２［ｍｍ］であることを特徴とし、ディスクから試料が漏洩してもトレー外の部品に試料が付着することを防止するとともに、従来のＣＤ（Ｃｏｍｐａｃｔ  Ｄｉｓｃ）互換の光ピックアップを使用して分析を行うことができる。
【００１１】
本発明の請求項５に記載の発明は、請求項４に記載の液体試料分析装置において、光ピックアップの光源波長が略７８０［ｎｍ］であり、同波長におけるディスク基板及び透明部材の屈折率がともに略１．６であり、かつディスク基板及び透明部材の厚さがともに略０．６［ｍｍ］であることを特徴ととし、ディスクから試料が漏洩してもトレー外の部品に試料が付着することを防止するとともに、従来のＣＤ（Ｃｏｍｐａｃｔ  Ｄｉｓｃ）互換の光ピックアップを使用して分析を行うことができる。
【００１２】
本発明の請求項６に記載の発明は、請求項４または請求項５に記載の液体試料分析装置において、ディスク基板及び透明部材の材料がともにポリカーボネート樹脂からなることを特徴とする。
【００１３】
【発明の実施の形態】
以下、図面を参照しながら本発明の実施例について説明する。なお、上記従来の分析装置と同一の機能を有する部品には同一の符号を付し、説明を省略する。
【００１４】
（実施の形態１）
図１は本発明の請求項１に記載の発明に対応する液体試料分析装置の一例を示す断面図である。装置の構成は前述の従来の分析装置と類似しており、分析原理や分析時の各部動作も同様であるが、ディスク１の装着、排出時にディスク１を載置するためのトレー部材２０上に前記ディスク１を取り囲む壁部材２１を有し、該壁部材は回転中のディスク１上面よりも高くなるように構成した点で異なる。このような構成を取ることにより、万一回転中のディスク１から試料が漏洩しても、ディスク１上面より高い壁部材２１により、遠心力により飛ばされた試料がトレー部材２０の外へ飛散することを防止することが可能と成る。
【００１５】
（実施の形態２）
図２は本発明の請求項２に記載の発明に対応する液体試料分析装置の一例を示す断面図である。装置の構成は実施の形態１に記載の液体試料分析装置と類似しているが、トレー部材２０に設けた壁部材２１をディスク１上面の延長面で切断した断面の内径よりも、壁部材２１上端部の内径の方が小さい点で異なる。このような構成を取ることにより、回転中のディスク１から試料が漏洩した場合、試料のトレー部材２０外への飛散防止効果が更に確実となる。
【００１６】
（実施の形態３）
図３は本発明の請求項３に記載の発明に対応する液体試料分析装置の一例を示す断面図である。装置の構成は実施の形態１及び実施の形態２に記載の液体試料分析装置と類似しているが、ディスク１と光ピックアップ１２の間には光ビーム１３を透過する透明部材３０を有し、該透明部材３０は前記トレー部材２０と一体にて構成された点で異なる。このような構成を取ることにより、ディスク１から試料が漏洩した場合、漏洩した試料はトレー部材２０及び透明部材３０上に留まり、トレー部材２０の下部に設けられた光ピックアップ１２や送りモータ１４などの部品に付着することが防止できる。
【００１７】
更に、請求項４に記載のように、波長７８０［ｎｍ］におけるディスク１の基板１０１及び透明部材３０の屈折率がともに略１．６であり、かつディスク１の基板１０１の厚さと透明部材３０の厚さの合計が略１．２［ｍｍ］となるように構成することにより、従来のＣＤ（Ｃｏｍｐａｃｔ  Ｄｉｓｃ）互換の光ピックアップ１２を使用することが可能となり、装置のコストを抑えることができる。
【００１８】
また、請求項５に記載のように、波長７８０［ｎｍ］におけるディスク１の基板１０１及び透明部材３０の屈折率がともに略１．６であり、かつディスク１の基板１０１及び透明部材３０の厚さがともに０．６［ｍｍ］となるように構成すれ、請求項４の効果に加えて、ディスク１の基板１０１の製造に従来のＤＶＤ（Ｄｉｇｉｔａｌ  Ｖｅｒｓａｔｉｌｅ  Ｄｉｓｃ）基板製造用の成型装置等を用いることが可能となり、ディスク１の製造コストをも低く抑えることが可能となる。
【００１９】
更に具体的には請求項６に記載のように、ディスク１の基板１０１及び透明部材３０の材料としてポリカーボネート樹脂を使用することで請求項４または請求項５に記載の効果を容易に実現することができる。
【００２０】
【発明の効果】
以上のように本発明の液体試料分析装置は、簡便な構成にて、分析中に万一ディスクから感染性の病原体を含んだ試料が漏洩した場合でもその汚染範囲をトレー部材上に留めることが出来る。汚染されたトレー部材は消毒液などで拭取ることにより継続して使用することができ、トレー部材以外の装置内部部品には汚染が及ばないので装置内部で病原体が増殖して作業者に感染するといった事故を未然に防ぐことが可能となる。
【図面の簡単な説明】
【図１】本発明の請求項１に記載の発明に対応する実施例の断面図
【図２】本発明の請求項２に記載の発明に対応する実施例の断面図
【図３】本発明の請求項３に記載の発明に対応する実施例の断面図
【図４】従来の分析装置の一例を示す断面図
【符号の説明】
１  ディスク
１１  スピンドルモータ
１２  光ピックアップ
１３  光ビーム
１４  送りモータ
１５  光検出器
２０  トレー部材
２１  壁部材
３０  透明部材
４０  ケース
１０１  基板
１０３  試薬
１０４  試料注入孔
１０５  流路
１０６  シール部材
【図１】
2004177319.tif 000003
【図２】
2004177319.tif 000004
【図３】
2004177319.tif 000005
【図４】
2004177319.tif 000006